(57)【要約】      （修正有）【課題】被験者の心理的統合度の瞬時的増大を実現し、被験者の心理的統合度の変化の程度（心理的統合度の瞬時的増大の程度）を可視化して観察可能にすることができる心理的統合度瞬時増大装置を提供する。【解決手段】被験者に認識されるための明滅するシンボルを出力装置に表示する明滅シンボル表示制御手段と、前記シンボルの明滅に同調するようにしてなされる前記被験者の入力を受け付ける入力受付手段と、前記シンボルの前記明滅の周波数を第二周波数に設定する明滅周波数手段と、を備えることを特徴とする心理的統合度瞬時増大装置。【選択図】図５
2013150808.tif 000002
【特許請求の範囲】
【請求項１】
被験者に認識されるための明滅するシンボルを出力装置に表示する明滅シンボル表示制御手段と、
前記シンボルの明滅に同調するようにしてなされる前記被験者の入力を受け付ける入力受付手段と、
前記シンボルの前記明滅の周波数を第二周波数に設定する明滅周波数手段と、
を備えることを特徴とする心理的統合度瞬時増大装置。
【請求項２】
前記第二周波数を、６．２５〜３２Ｈｚの範囲から選ばれる一つの周波数に設定することを特徴とする請求項１に記載の心理的統合度瞬時増大装置。
【請求項３】
前記第二周波数を、１１Ｈｚに設定することを特徴とする請求項１に記載の心理的統合度瞬時増大装置。
【請求項４】
前記明滅の一周期を、前記シンボルを出力装置に表示するシンボル表示時間と前記シンボルを出力装置に非表示にするシンボル非表示時間とから構成し、
前記第二周波数における前記シンボル表示時間を、４７ｍｓに設定し、
前記第二周波数における前記シンボル非表示時間を、４７ｍｓに設定することを特徴とする請求項１に記載の心理的統合度瞬時増大装置。
【請求項５】
被験者に認識されるための明滅するシンボルを出力装置に表示する明滅シンボル表示制御手段と、
前記シンボルの明滅に同調するようにしてなされる前記被験者の入力を受け付ける入力受付手段と、
前記シンボルの前記明滅の周波数を第一周波数から第二周波数へ所定の時間内に増大させ、その後、前記周波数を前記第二周波数に設定する明滅周波数増大手段と、
を備えることを特徴とする心理的統合度瞬時増大装置。
【請求項６】
前記第一周波数を、１〜５Ｈｚの範囲から選ばれる一つの周波数に設定し、前記第二周波数を、６．２５〜３２Ｈｚの範囲から選ばれる一つの周波数に設定することを特徴とする請求項５に記載の心理的統合度瞬時増大装置。
【請求項７】
前記第一周波数を、２Ｈｚに設定し、前記第二周波数を、１１Ｈｚに設定することを特徴とする請求項５に記載の心理的統合度瞬時増大装置。
【請求項８】
前記明滅の一周期を、前記シンボルを出力装置に表示するシンボル表示時間と前記シンボルを出力装置に非表示にするシンボル非表示時間とから構成し、
前記第一周波数における前記シンボル表示時間を、２５０ｍｓに設定し、
前記第一周波数における前記シンボル非表示時間を、２５０ｍｓに設定し、
前記第二周波数における前記シンボル表示時間を、４７ｍｓに設定し、
前記第二周波数における前記シンボル非表示時間を、４７ｍｓに設定することを特徴とする請求項５に記載の心理的統合度瞬時増大装置。
【請求項９】
前記所定の時間は、３２秒に設定することを特徴とする請求項７〜８のいずれか一項に記載の心理的統合度瞬時増大装置。
【請求項１０】
前記第一周波数を、４Ｈｚに設定し、前記第二周波数を、１１Ｈｚに設定することを特徴とする請求項５に記載の心理的統合度瞬時増大装置。
【請求項１１】
前記明滅の一周期を、前記シンボルを出力装置に表示するシンボル表示時間と前記シンボルを出力装置に非表示にするシンボル非表示時間とから構成し、
前記第一周波数における前記シンボル表示時間を、１２５ｍｓに設定し、
前記第一周波数における前記シンボル非表示時間を、１２５ｍｓに設定し、
前記第二周波数における前記シンボル表示時間を、４７ｍｓに設定し、
前記第二周波数における前記シンボル非表示時間を、４７ｍｓに設定することを特徴とする請求項５に記載の心理的統合度瞬時増大装置。
【請求項１２】
前記所定の時間は、６秒に設定することを特徴とする請求項１０〜１１のいずれか一項に記載の心理的統合度瞬時増大装置。
【請求項１３】
前記第一周波数から前記第二周波数への前記周波数の増大は、線形的増大であることを特徴とする請求項５〜１２のいずれか一項に記載の心理的統合度瞬時増大装置。
【請求項１４】
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
該使用以降心理的統合状態記録手段により記憶装置に記憶された前記使用以降心理的統合状態を記憶装置から読み出し出力装置に出力し、
前記心理的統合度瞬時増大装置使用以降の前記被験者の心理的統合度の変化の程度を可視化して観察可能にする心理的統合度増大状況可視化手段と、
を備えることを特徴とする請求項１〜１３のいずれか一項に記載の心理的統合度瞬時増大装置。
【請求項１５】
請求項１〜１３のいずれか一項に記載の心理的統合度瞬時増大装置使用前において、
心理的統合状態グラフ表示装置の手段により被験者の心理的統合状態の記録を行い、前記被験者の使用前心理的統合状態として記憶装置に記憶する使用前心理的統合状態記録手段と、
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
前記使用前心理的統合状態記録手段により記憶装置に記憶された前記使用前心理的統合状態と前記使用以降心理的統合状態記録手段により記憶装置に記憶された前記使用以降心理的統合状態とを記憶装置から読み出し並置して出力装置に出力し、
前記心理的統合度瞬時増大装置使用前から、
前記心理的統合度瞬時増大装置使用以降への、
前記心理的統合度瞬時増大装置使用による前記被験者の心理的統合度の変化の程度を可視化して観察可能にする心理的統合度増大状況可視化手段と、
を備えることを特徴とする請求項１〜１３のいずれか一項に記載の心理的統合度瞬時増大装置。
【請求項１６】
請求項１〜１５のいずれか一項に記載の心理的統合度瞬時増大装置における手段としてコンピュータを機能させることを特徴とするプログラム。
【請求項１７】
請求項１６に記載のプログラムを記録したことを特徴とするコンピュータ読み取り可能な記録媒体。
【発明の詳細な説明】
【技術分野】
【０００１】本発明は、心理的統合度瞬時増大装置に関する。
【背景技術】
【０００２】本発明におけるような心理的統合度瞬時増大装置は従来にない。
特許文献１（心理的統合状態グラフ表示装置）においても本発明におけるような心理的統合度瞬時増大装置の記載はない。
【先行技術文献】
【特許文献】
【０００３】
【特許文献１】特開２０１１−２５５１９４号公報
【発明の概要】
【発明が解決しようとする課題】
【０００４】本発明は、被験者の心理的統合度の瞬時的増大を実現する心理的統合度瞬時増大装置の提供を目的とする。
また本発明は、本発明使用による前記被験者の心理的統合度の変化の程度（心理的統合度の瞬時的増大の程度）を可視化して観察可能にすることができる心理的統合度瞬時増大装置の提供を目的とする。
【課題を解決するための手段】
【０００５】本発明の第一の発明は、
被験者に認識されるための明滅するシンボルを出力装置に表示する明滅シンボル表示制御手段と、
前記シンボルの明滅に同調するようにしてなされる前記被験者の入力を受け付ける入力受付手段と、
前記シンボルの前記明滅の周波数を第二周波数に設定する明滅周波数手段と、
を備えることを特徴とする心理的統合度瞬時増大装置。【０００６】本発明の第二の発明は、
前記第二周波数を、６．２５〜３２Ｈｚの範囲から選ばれる一つの周波数に設定することを特徴とする請求項１に記載の心理的統合度瞬時増大装置。【０００７】本発明の第三の発明は、
前記第二周波数を、１１Ｈｚに設定することを特徴とする請求項１に記載の心理的統合度瞬時増大装置。【０００８】本発明の第四の発明は、
前記明滅の一周期を、前記シンボルを出力装置に表示するシンボル表示時間と前記シンボルを出力装置に非表示にするシンボル非表示時間とから構成し、
前記第二周波数における前記シンボル表示時間を、４７ｍｓに設定し、
前記第二周波数における前記シンボル非表示時間を、４７ｍｓに設定することを特徴とする請求項１に記載の心理的統合度瞬時増大装置。【０００９】本発明の第五の発明は、
被験者に認識されるための明滅するシンボルを出力装置に表示する明滅シンボル表示制御手段と、
前記シンボルの明滅に同調するようにしてなされる前記被験者の入力を受け付ける入力受付手段と、
前記シンボルの前記明滅の周波数を第一周波数から第二周波数へ所定の時間内に増大させ、その後、前記周波数を前記第二周波数に設定する明滅周波数増大手段と、
を備えることを特徴とする心理的統合度瞬時増大装置。【００１０】本発明の第六の発明は、
前記第一周波数を、１〜５Ｈｚの範囲から選ばれる一つの周波数に設定し、前記第二周波数を、６．２５〜３２Ｈｚの範囲から選ばれる一つの周波数に設定することを特徴とする請求項５に記載の心理的統合度瞬時増大装置。【００１１】本発明の第七の発明は、
前記第一周波数を、２Ｈｚに設定し、前記第二周波数を、１１Ｈｚに設定することを特徴とする請求項５に記載の心理的統合度瞬時増大装置。【００１２】本発明の第八の発明は、
前記明滅の一周期を、前記シンボルを出力装置に表示するシンボル表示時間と前記シンボルを出力装置に非表示にするシンボル非表示時間とから構成し、
前記第一周波数における前記シンボル表示時間を、２５０ｍｓに設定し、
前記第一周波数における前記シンボル非表示時間を、２５０ｍｓに設定し、
前記第二周波数における前記シンボル表示時間を、４７ｍｓに設定し、
前記第二周波数における前記シンボル非表示時間を、４７ｍｓに設定することを特徴とする請求項５に記載の心理的統合度瞬時増大装置。【００１３】本発明の第九の発明は、
前記所定の時間は、３２秒に設定することを特徴とする請求項７〜８のいずれか一項に記載の心理的統合度瞬時増大装置。【００１４】本発明の第十の発明は、
前記第一周波数を、４Ｈｚに設定し、前記第二周波数を、１１Ｈｚに設定することを特徴とする請求項５に記載の心理的統合度瞬時増大装置。【００１５】本発明の第十一の発明は、
前記明滅の一周期を、前記シンボルを出力装置に表示するシンボル表示時間と前記シンボルを出力装置に非表示にするシンボル非表示時間とから構成し、
前記第一周波数における前記シンボル表示時間を、１２５ｍｓに設定し、
前記第一周波数における前記シンボル非表示時間を、１２５ｍｓに設定し、
前記第二周波数における前記シンボル表示時間を、４７ｍｓに設定し、
前記第二周波数における前記シンボル非表示時間を、４７ｍｓに設定することを特徴とする請求項５に記載の心理的統合度瞬時増大装置。【００１６】本発明の第十二の発明は、
前記所定の時間は、６秒に設定することを特徴とする請求項１０〜１１のいずれか一項に記載の心理的統合度瞬時増大装置。【００１７】本発明の第十三の発明は、
前記第一周波数から前記第二周波数への前記周波数の増大は、線形的増大であることを特徴とする請求項５〜１２のいずれか一項に記載の心理的統合度瞬時増大装置。【００１８】本発明の第十四の発明は、
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
該使用以降心理的統合状態記録手段により記憶装置に記憶された前記使用以降心理的統合状態を記憶装置から読み出し出力装置に出力し、
前記心理的統合度瞬時増大装置使用以降の前記被験者の心理的統合度の変化の程度を可視化して観察可能にする心理的統合度増大状況可視化手段と、
を備えることを特徴とする請求項１〜１３のいずれか一項に記載の心理的統合度瞬時増大装置。【００１９】本発明の第十五の発明は、
請求項１〜１３のいずれか一項に記載の心理的統合度瞬時増大装置使用前において、
心理的統合状態グラフ表示装置の手段により被験者の心理的統合状態の記録を行い、前記被験者の使用前心理的統合状態として記憶装置に記憶する使用前心理的統合状態記録手段と、
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
前記使用前心理的統合状態記録手段により記憶装置に記憶された前記使用前心理的統合状態と前記使用以降心理的統合状態記録手段により記憶装置に記憶された前記使用以降心理的統合状態とを記憶装置から読み出し並置して出力装置に出力し、
前記心理的統合度瞬時増大装置使用前から、
前記心理的統合度瞬時増大装置使用以降への、
前記心理的統合度瞬時増大装置使用による前記被験者の心理的統合度の変化の程度を可視化して観察可能にする心理的統合度増大状況可視化手段と、
を備えることを特徴とする請求項１〜１３のいずれか一項に記載の心理的統合度瞬時増大装置。【００２０】本発明の第十六の発明は、
請求項１〜１５のいずれか一項に記載の心理的統合度瞬時増大装置における手段としてコンピュータを機能させることを特徴とするプログラム。【００２１】本発明の第十七の発明は、
請求項１６に記載のプログラムを記録したことを特徴とするコンピュータ読み取り可能な記録媒体。
【発明の効果】
【００２２】  本発明によれば、被験者の心理的統合度の瞬時的増大を実現することが可能となる。
（図１参照。図５参照。図６参照。）
また本発明によれば、本発明使用による前記被験者の心理的統合度の変化の程度（心理的統合度の瞬時的増大の程度）を可視化して観察可能にすることができる。（図１参照。図５参照。図６参照。）
【図面の簡単な説明】
【００２３】
【図１】本発明の実施形態を説明する図である。
【図２】本発明の最良の実施形態のＣＰＵのハードウェア構成の一例を表す図である。
【図３】本発明の最良の実施形態の構成の一例を表す概略構成図である。
【図４】本発明の実施形態を説明する図である。
【図５】本発明の実施形態を説明する図である。
【図６】本発明の実施形態を説明する図である。
【発明を実施するための形態】
【００２４】  本発明を実現させるプログラム、及びコンピュータに読み取り可能な記録媒体について、図面を参照しながら詳細に説明する。
【００２５】  図３は、コンピュータシステム３０１の概略構成を示している。
本発明は、コンピュータシステム３０１により、本発明を実現させるプログラムを実行することで実現される。
本発明の本実施形態を実現するコンピュータシステム３０１は、後述するＣＰＵ（Ｃｅｎｔｒａｌ  Ｐｒｏｃｅｓｓｉｎｇ  Ｕｎｉｔ）５０１等を備える本体３０２と、入力装置、（入力部分、入力部材）、（必要であれば）キーボード３０３（入力装置の一例）、（必要であればマウス３０６）、ディスプレイ３０４、（必要であればプリンタ３０５）、（必要であればスピーカ３０７）から構成されている。
【００２６】  次に、本発明におけるＣＰＵ５０１のハードウェア構成の一例を、図２を参照しつつ説明する。
本発明におけるＣＰＵ５０１は、具体的には、ＣＰＵ５０１等のマイクロプロセッサ、ＲＡＭ（Ｒａｎｄｏｍ  Ａｃｃｅｓｓ  Ｍｅｍｏｒｙ）５０２、ＲＯＭ（Ｒｅａｄ  Ｏｎｌｙ  Ｍｅｍｏｒｙ）５０３、ＨＤＤ（Ｈａｒｄ  Ｄｉｓｃ  Ｄｒｉｖｅ）５０４、入力装置、（必要であれば）キーボード３０３、（必要であればマウス３０６、）ディスプレイ３０４、（必要であればプリンタ３０５、）（必要であればスピーカ３０７）（及び必要であれば通信インターフェース）等を含んで構成される。以上の各部分は、バス５０５により接続されている。（（出力装置と入力装置等）無線的に接続される部分があってもよい。）
【００２７】  ＣＰＵ５０１は、ＨＤＤ（Ｈａｒｄ  Ｄｉｓｃ  Ｄｒｉｖｅ）５０４に格納された本発明を実現させるプログラムを、ＲＡＭ５０２上に展開することにより、本実施形態に特徴的な動作を実行する。
【００２８】  ＣＰＵ５０１は、本発明を実現させるプログラムに従って、本発明の制御や、各種の演算処理などを実行する。ＣＰＵ５０１は、ディスプレイ３０４（出力装置の一例）による表示処理の制御を行う。（ＣＰＵ５０１は、入力装置、キーボード３０３（入力装置の一例）からの入力に応じて、本発明の制御を行うとしてもよい。）ＣＰＵ５０１は、本発明から得られたデータに基づいて生成した画像等の出力を、必要であればプリンタ３０５等から出力させるよう制御することができる。
【００２９】  入力装置、（必要であれば）キーボード３０３、（必要であればマウス３０６、）及びディスプレイ３０４は、本発明のユーザインターフェースとして利用される。（必要であれば）キーボード３０３は、例えば入力を行うためのデバイス（入力装置）として利用される。
ディスプレイ３０４は、例えば、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）、ＣＲＴ（Ｃａｔｈｏｄｅ  Ｒａｙ  Ｔｕｂｅ）等からなる表示デバイス（出力装置）であり、本発明に関する表示を行ったりする。
【００３０】  また、ＣＰＵ５０１がインターネットやＬＡＮ（Ｌｏｃａｌ  Ａｒｅａ  Ｎｅｔｗｏｒｋ）等のネットワークに接続され得る場合には、通信インターフェースにＬＡＮカード等のネットワークアダプタやモデム等の通信機器を具備させて、ネットワークによりデータ通信を行えるように構成することができる。その場合、本発明を実現させるプログラムを格納するサーバを、ネットワークに設置し、ＣＰＵ５０１をサーバのクライアント端末として構成することにより、本発明における動作を実行させることができる。
【００３１】  また、本発明を実現させるプログラムは、コンピュータに読み取り可能な記録媒体（記憶媒体）に記憶させることができる。このような記録媒体（記憶媒体）として、例えば、光ディスク、光磁気ディスク（ＣＤＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、半導体メモリ等がある。
【００３２】  次に、本発明、本発明の作動方法、及び本発明を実現させるプログラムによる本発明の制御について、詳細に説明する。
【００３３】本発明の第一の発明では、
被験者の心理的統合度の瞬時的増大を実現可能にするために、
ＣＰＵ５０１は、
被験者に視覚認識されるための明滅するシンボル１を出力装置（例えば、ディスプレイ３０４等）に表示する。（明滅シンボル表示制御手段。）
心理的統合度瞬時増大装置は、
前記シンボル（明滅するシンボル１）の明滅に同調するようにしてなされる前記被験者の入力を受け付ける（部分（部材）を有する）。（入力受付手段。）
ＣＰＵ５０１は、
前記シンボル（明滅するシンボル１）の前記明滅の周波数を第二周波数に設定する。（明滅周波数手段。）
【００３４】本発明の第一の発明によれば、
出力装置に表示される前記シンボルの第二周波数での明滅を視覚認識することにより、被験者はその明滅に同調（追従）するようにして第二周波数（に近い）程度の周波数を有する入力を（入力受付手段（入力装置（入力部分））に対して）行うことが瞬時に（容易に）可能となる場合が多い。
第二周波数程度の周波数で入力を行うことが瞬時に可能となることは、
（例えば本発明使用前の被験者の心理的統合度の周波数（心理的統合状態グラフ表示装置により観測される時間（入力時間間隔）に基づく周波数）が第二周波数以下にあった場合等）
被験者の心理的統合度の瞬時的増大に等しいことである場合が多い。
【００３５】本発明の第一の発明に関して、
前記シンボルの明滅に同調するようにしてなされる前記被験者の入力を受け付ける入力受付手段（入力装置（入力部分（部材）））は、
入力（の受け付け）に応じ逐一（瞬時に）（被験者の負荷にならない程度の）抗力（接触感覚）等、入力に対する何らかの応答、を生じ得るための手段であってもよく、それにより、前記シンボル明滅に正確に合わせた入力が行えていることを被験者（の（（応答）高速度的）低次元的認識部門）に抗力等発生を経由して（入力逐一、瞬時に）（フィードバック的に）認識させ得る（入力の明滅に対する同調の確認的認識を被験者（の（高速度的）低次元的認識部門）においてフィードバック的に増強させ得る）手段であってもよく、
その場合、前記シンボル明滅に正確に合わせた入力が行えた時には被験者（の（高速度的）低次元的認識部門）に、同調成功的達成（確認的）認識を（逐一）生じ得（追従続行推進力となり）、また、入力のタイミングに誤差が生じた時には（抗力等発生を経由してタイミングエラーを（より）認識可能にすることにより）入力タイミング修正を（低次元的、高速度的に）行い得る可能性も増大させることができると考えられ、第二周波数（近傍）への（低次元的、高速度的）追従（の続行）可能性を増大させることができると考えられる。
（抗力等、入力に対する何らかの応答には、例えばスピーカ３０７等からの効果音や例えば、ディスプレイ３０４等における視覚的効果等が含まれる場合があってもよい。）
【００３６】本発明の第二の発明では、
請求項１に記載の心理的統合度瞬時増大装置において、前記第二周波数を、６．２５〜３２Ｈｚの範囲から選ばれる一つの周波数に設定する。
【００３７】本発明の第二の発明に関して、
（心理的非統合度が相当に大である場合には、２６０〜４００ｍｓ以上、周波数では３．８５Ｈｚ〜２．５Ｈｚ以下になり得る場合があるが、）
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、（例えばおよそ）１６０ｍｓ（を超えて）より大となる場合が多く、周波数にして６．２５Ｈｚ未満（でしか入力できない状態である）と言うことができる。
前記第二周波数を、（例えば）６．２５Ｈｚ以上（６．２５Ｈｚでは、心理的統合度が大ではない時の周波数に近いため、（その周波数程度での（低レベルの）心理的統合状態が生じることを防ぐために、）６．２５Ｈｚをかなり超える程度に）（〜３２Ｈｚのような（能動的、内生的には入力を行うことが不可能な）周波数）に設定することで、被験者が６．２５Ｈｚ以上程度の周波数（に近い周波数）で入力を行うことが瞬時に可能となることは、被験者の心理的統合度の瞬時的増大に等しいことである場合が多い。
また、第二周波数を、（例えば）３２Ｈｚ以下で設定することにより、前記シンボルの明滅がフリッカ融合周波数（ｆｌｉｃｋｅｒ  ｆｕｓｉｏｎ  ｆｒｅｑｕｅｎｃｙ）（や出力装置やコンピュータの性能）を超えることを防ぐことができ、（被験者にとり）明滅の認識が不可能となり（あるいは難しくなり）、入力を明滅に（受動的に）同調してなすこと（追従）が不可能となる（放棄される）ことを防ぐことができる。
【００３８】本発明の第三の発明では、
請求項１に記載の心理的統合度瞬時増大装置において、前記第二周波数を、１１Ｈｚ（程度）に設定する。
【００３９】本発明の第三の発明に関して、
前記シンボル明滅における１１Ｈｚは、心理的統合状態グラフ表示装置により観測される時間（入力時間間隔）の観点では９０ｍｓ程度に相当する。
被験者の心理的統合度が最大レベルに近い状態にある時であっても心理的統合状態グラフ表示装置により観測される（能動的）時間（（能動的な）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は例えば１４０ｍｓ程度であり（１４０ｍｓ程度以下には（非常に）なり難く）、周波数にして７Ｈｚ程度である（７Ｈｚ程度以上には（非常に）なり難い）場合が多い。
しかし、１１Ｈｚの前記第二周波数で明滅する前記シンボルの明滅を視覚認識することは、（心理的統合度が大ではない時でさえ）被験者にとり（非常に）容易なことであり、
被験者の心理的統合度が大ではない時に心理的統合状態グラフ表示装置により観測される時間（入力時間間隔）は、例えば（およそ）（６．２５未満〜）４Ｈｚ以下である場合が多いが、
前記第二周波数を、１１Ｈｚに設定することにより、被験者が１１Ｈｚに（ある程度）近い周波数（例えばおよそ８〜１０Ｈｚ）で入力を行うことが瞬時に可能となる場合が多いということは、被験者の心理的統合度の瞬時的増大に等しいことである場合が多い。
（この明滅追従による受動的的入力周波数生成は、明滅によらない能動的入力周波数生成に比較してより被験者の記憶内の潜在的周波数、潜在的心理的統合度に根拠を有さない（また学習記憶されている周波数の記憶における減退の影響を受けない）入力周波数生成であると考えられる。）
また、前記第二周波数を、１１Ｈｚに設定することは、追従に適度の難度を生じ被験者（の低次元的認識部門）に追従への専念を促すと考えられ、すなわち、
明滅に対する入力の追従は、被験者の情報処理が高速度である低次元的認識部門によって（主に）行われ得ると考えられるが、１１Ｈｚに設定することは前記第二周波数を情報処理が高速度である低次元的認識部門には単純（忠実的）かつ高速度に、逐一的に認識応答可能な情報とし、
情報処理がより低速度である高次元的認識理解部門には逐一理解応答がより困難な情報にして、高次元的認識理解部門からの入力に対する抑制的干渉をより減少させ得ると考えられる等のため、６Ｈｚ近傍（追従がより簡単（緩慢）に達せられてしまう周波数）のようなより低周波数に設定する場合に比較して優位である場合があると考えられる。
また、３２Ｈｚ近傍に設定する場合に比較して、前記第二周波数を、１１Ｈｚに設定することで、前記シンボルの明滅がフリッカ融合周波数（ｆｌｉｃｋｅｒ  ｆｕｓｉｏｎ  ｆｒｅｑｕｅｎｃｙ）（や出力装置やコンピュータの性能）を超えることが無く、（被験者にとり）明滅の認識がより（明確に）可能となり、入力を明滅に同調してなすこと（追従）がより可能となる場合があると考えられる。
【００４０】本発明の第四の発明では、請求項１に記載の心理的統合度瞬時増大装置において、
前記明滅の一周期を、前記シンボルを出力装置に表示するシンボル表示時間と前記シンボルを出力装置に非表示にするシンボル非表示時間とから構成し、
前記第二周波数における前記シンボル表示時間を、４７ｍｓ（程度）に設定し、
前記第二周波数における前記シンボル非表示時間を、４７ｍｓ（程度）に設定する。
本発明の第四の発明は、第三の発明のより具体的な一例である。
【００４１】  本発明の第四の発明において、
前記シンボルの明滅に同調するようにしてなされる前記被験者の入力とは、（例えば、）
前記シンボル表示時間に前記シンボルが出力装置に表示されたことを視覚認識した瞬間に、前記被験者が瞬間的になす（入力受付手段（入力装置、入力部分）への）入力（瞬間的に、例えば押す等の運動）のことである。
【００４２】本発明の第五の発明では、
被験者の心理的統合度の瞬時的増大を実現可能にするために、
ＣＰＵ５０１は、
被験者に視覚認識されるための明滅するシンボル１を出力装置（例えば、ディスプレイ３０４等）に表示する。（明滅シンボル表示制御手段。）
心理的統合度瞬時増大装置は、
前記シンボル（明滅するシンボル１）の明滅に同調するようにしてなされる前記被験者の入力を受け付ける（部分（部材）を有する）。（入力受付手段。）
ＣＰＵ５０１は、
前記シンボル（明滅するシンボル１）の前記明滅の周波数を第一周波数から第二周波数へ所定の時間内に増大させ、その後、前記周波数を前記第二周波数に設定する。（明滅周波数増大手段。）
【００４３】本発明の第五の発明によれば、
（（被験者に実行可能な速度でキーボードの（同一）キーを繰り返し押す）入力の周波数を被験者が能動的（内生的）には（第一周波数から）第二周波数方向へ増大させることが難しいような心理的低統合状態に（被験者が）ある場合においてさえ、）
出力装置に表示される前記シンボル明滅の周波数の（心理的統合度増大達成や心理的統合状態改変に要する時間の観点から瞬時的と考えられる）所定の時間内での第一周波数から第二周波数への増大を視覚認識することにより、被験者はその明滅周波数の増大に同調（追従）するようにして（入力受付手段（入力装置（入力部分））に対する）入力の周波数を第一周波数程度から第二周波数（に近い）程度へ（およそ）所定の時間内（という瞬時）で増大させることが（容易に）可能となる。
入力の周波数を第一周波数程度から第二周波数（に近い）程度へ（およそ）所定の時間内（という瞬時）で増大させることが（容易に）可能となることは、（例えば本発明使用前の被験者の心理的統合度の周波数（心理的統合状態グラフ表示装置により観測される時間（入力時間間隔）に基づく周波数）が第二周波数以下にあった場合等）被験者の心理的統合度を（容易に）瞬時的に増大させることに等しいことである場合が多い。
その後、
第二周波数での前記シンボルの明滅を視覚認識し続けることにより、被験者はその明滅に同調（追従）するようにして第二周波数（に近い）程度の周波数を有する入力を（入力受付手段（入力装置（入力部分））に対して）行い続けることの（短時間的）続行可能性を（容易に）増大させることができる。
第二周波数（に近い）程度の周波数で入力を行い続けることの（短時間的）続行可能性を増大させることが可能となることは、被験者の心理的統合度の瞬時的増大に等しいことである場合が多い。
【００４４】本発明の第五の発明に関して、
前記シンボルの明滅に同調するようにしてなされる前記被験者の入力を受け付ける入力受付手段（入力装置（入力部分（部材）））は、
入力（の受け付け）に応じ逐一（瞬時に）（被験者の負荷にならない程度の）抗力（接触感覚）等、入力に対する何らかの応答、を生じ得るための手段であってもよく、それにより、前記シンボル明滅に正確に合わせた入力が行えていることを被験者（の（高速度的）低次元的認識部門）に抗力等発生を経由して（入力逐一、瞬時に）（フィードバック的に）認識させ得る手段であってもよく、
その場合、前記シンボル明滅に正確に合わせた入力が行えた時には被験者（の（高速度的）低次元的認識部門）に、同調成功的達成（確認的）認識を（逐一的に）生じ得（追従続行推進力となり）、また、入力のタイミングに誤差が生じた時には（抗力等発生を経由してタイミングエラーを（より）認識可能にすることにより）入力タイミング修正を（低次元的、高速度的に）行い得る可能性も増大させることができると考えられ、明滅周波数増大への（低次元的、高速度的）追従（の続行）可能性を増大させることができると考えられる。
（抗力等、入力に対する何らかの応答には、例えばスピーカ３０７等からの効果音や例えば、ディスプレイ３０４等における視覚的効果等が含まれる場合があってもよい。）
【００４５】本発明の第六の発明では、
請求項５に記載の心理的統合度瞬時増大装置において、
前記第一周波数は、例えば１〜５Ｈｚの範囲から選ばれる一つの周波数で設定し、前記第二周波数を、６．２５〜３２Ｈｚの範囲から選ばれる一つの周波数に設定する。
【００４６】本発明の第六の発明に関して、
（心理的非統合度が相当に大である場合には、２６０〜４００ｍｓ以上、周波数では３．８５Ｈｚ〜２．５Ｈｚ以下になり得る場合があるが、）
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、
（例えばおよそ）１６０ｍｓ（を超えて）より大となる場合が多く、周波数にして６．２５Ｈｚ未満（でしか（能動的には）入力できない状態である）と言うことができる。そのようにある程度低い心理的統合度にある被験者にとっても例えば１〜５Ｈｚの範囲から選ばれる一つの周波数で設定された前記第一周波数での前記シンボルの明滅に（受動的に）追従して同調しながら周波数増大に同調した入力をなすことは（非常に）容易なことであり、被験者により同調の追従が放棄されるような場合を防ぐことができる。
また、前記第一周波数を１Ｈｚ以上で設定することにより、明滅に対する入力の追従に関して被験者（の（高速度的）低次元的認識部門）に生じる同調成功的達成認識（あるいは入力タイミング修正成功的達成認識）（に基づく追従続行推進力）の、明滅周期の長さによる入力待ち時間の長さにおける減退による追従続行推進力低下、単調性の感覚（心理的統合度増大に寄与しない感覚）の発生、を防ぐことができる。
また、前記第一周波数を例えば１Ｈｚ以上に設定することにより、
既に被験者により学習され記憶済みとなっており（受動的に）励起可能となっている潜在的（入力）周波数（潜在的心理的統合度周波数）（準位）の中でも、心理的統合度瞬時増大に寄与しない過度に低周波数な潜在的（入力）周波数（潜在的心理的統合度周波数）（準位）を、前記シンボル明滅の過度に低周波数な特性が、（共鳴的に）励起してしまい、過度に低周波数的（過度に低レベルの）心理的統合状態（準位）への被験者の心理的統合状態の捕捉により被験者に緩慢化が発生してしまうことを防ぐことができる。
（このこと（過度に低周波数な（記憶的）潜在的（入力）周波数（潜在的心理的統合度周波数）（準位）の励起を防ぐこと）は、
あるいは、
例えば、本発明使用（直前）前に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を繰り返し押すようにした場合の各試行（各スペースキー押し運動）に要した時間（の例えば５〜１００試行数程度における平均値）を例えば４００〜５００ｍｓ（程度）以上は超えない入力時間間隔に相当する周波数に、前記第一周波数を設定することにより達せられる場合があってもよい。）
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、（例えばおよそ）１６０ｍｓ（を超えて）より大となる場合が多く、周波数にして６．２５Ｈｚ未満（でしか入力できない状態である）と言うことができる。
前記第二周波数を、（例えば）６．２５Ｈｚ以上（６．２５Ｈｚでは、心理的統合度が大ではない時の周波数に近いため、６．２５Ｈｚをかなり超える程度に）に設定することで、被験者が６．２５Ｈｚ以上程度の周波数で入力を行うことが瞬時に可能となることは、被験者の心理的統合度の瞬時的増大に等しいことである場合が多い。
また、第二周波数を、（例えば）３２Ｈｚ以下で設定することにより、前記シンボルの明滅がフリッカ融合周波数（ｆｌｉｃｋｅｒ  ｆｕｓｉｏｎ  ｆｒｅｑｕｅｎｃｙ）（や出力装置やコンピュータの性能）を超えることを防ぐことができ、（被験者にとり）明滅の認識が不可能となり（あるいは難しくなり）、入力を明滅に受動的に同調してなすこと（追従）が不可能となる（放棄される）ことを防ぐことができる。
【００４７】  また、
第二周波数を、（例えば）３２Ｈｚに（ある程度）近い程度、フリッカ融合周波数（ｆｌｉｃｋｅｒ  ｆｕｓｉｏｎ  ｆｒｅｑｕｅｎｃｙ）（や出力装置やコンピュータの性能限界）に近い程度に（能動入力としては不可能的周波数で）設定する場合には、第一周波数を例えば２Ｈｚ以下、等、被験者にとり追従入力を行うことがある程度緩慢過ぎる程度に冗長に設定することにより、
本発明使用（直）前の被験者の（低レベルの）心理的統合状態（心理的統合状態グラフ表示装置により観測される時間（入力時間間隔）に基づく周波数）、心理的統合度周波数がその冗長的周波数に比較してより高周波数側にある場合等には、
明滅周波数増大に応じ入力周波数を第一周波数近傍程度から増大させていく際、
本発明使用（直）前の被験者の（低レベルの）心理的統合状態に相応する心理的統合度周波数近傍程度の明滅周波数に至ると、
被験者は、
記憶における本発明使用（直）前心理的統合度周波数（この周波数は、この周波数近傍の明滅周波数を被験者が視覚認識することにより被験者の記憶において励起可能となり被験者による運動周波数（入力周波数）に引用的に利用され得るようになると考えられる）を（共鳴的に）引用的に参照、利用して入力を行う傾向が生じ、
このことは、記憶周波数（の近似的）利用（引用）に由来して、
（明滅周波数増大に逐一忠実に調節的に追従の入力を行うことに比較して）
入力周波数を（明滅周波数増大以上に）増大（例えば入力時間間隔において数十ｍｓ程度短縮）させ得る場合がある可能性があると考えられ、
入力を行うことがより記憶参照的高速度に容易に可能となる（（記憶的に）引力性を有する）周波数として経由して（推進力を増し）、（さらに入力時間間隔の減少に伴い低速度的高次元的認識応答部門からの干渉を排しながら、）（不可能性を超えるという意味で）トンネル的に、
第二周波数（に近い周波数）に相応する程度までの心理的統合度の増大が達成される場合があると考えられる。
【００４８】  （本発明使用（直）前の）被験者の心理的統合状態が第一周波数より高周波数側にある場合における、
第一周波数から、第一周波数より高周波数側にある（本発明使用（直）前の）被験者の心理的統合状態に相応する周波数程度、までの明滅周波数増大に対する入力の追従に関して、
この際の（以降に比較して緩慢的）追従は、（追従開始時のある程度交感神経系活動的から）（その後、記憶されている周波数（本発明使用（直）前の被験者の心理的統合状態に相応する周波数）以下の明滅周波数への追従であることもあり）副交感神経系活動的に行われる場合があると考えられ、追従がわずかに低精度でわずかに（明滅に対して遅延的に）非同調を生じる場合があるが、その誤差（非同調）は被験者（の（ある程度）低次元の認識部門）において（比較的強く）認識されるものと考えられわずかに（瞬時的に）交感神経系活動的に（逐一的に）（入力）タイミング修正され明滅に追従される場合が多いと考えられるが、このような修正が、
本発明使用（直）前の被験者の心理的統合状態に相応する程度の明滅周波数の近傍明滅周波数に対する追従に至ると、
明滅周波数より入力周波数の方が（記憶周波数簡易引用的に）高くなる（入力時間間隔において数十ｍｓ程度短縮される）場合があり、誤差（（明滅に対して先行的な）追従上の非同調）（明滅の視覚認識のタイミングと入力のタイミングとの乖離）が生じ、それが被験者（の低次元認識部門）において（相当）強く認識されることにより（より交感神経系活動的に）（入力）タイミング修正され（低次元認識部門の活動の一層の増大とともに）追従度がより増大することにもより、第二周波数程度の入力へトンネル可能となる場合があると考えられる。
【００４９】  本発明使用（直）前の被験者の心理的統合状態に相当する周波数が、例えば、第一周波数と第二周波数の間にあるような場合には、
第一周波数から、本発明使用（直）前の被験者の心理的統合状態に相当する周波数（のある程度以上）までの明滅周波数増大に対する入力の追従は、（交感神経系活動的から）副交感神経系活動的に行われ、
本発明使用（直）前の被験者の心理的統合状態に相当する周波数（程度）から第二周波数までの明滅周波数増大に対する（不可能性を超えるという意味で）トンネル的な入力の追従は、（記憶周波数（本発明使用（直）前の被験者の心理的統合状態に相応する周波数）以上の明滅周波数への追従であることもあり、）交感神経系活動的（ｅｐｉｎｅｐｈｒｉｎｅ、ｎｏｒｅｐｉｎｅｐｈｒｉｎｅ的）に行われている可能性が考えられる。
【００５０】本発明の第七の発明では、請求項５に記載の心理的統合度瞬時増大装置において、
前記第一周波数を、２Ｈｚ（程度）に設定し、前記第二周波数を、１１Ｈｚ（程度）に設定する。
【００５１】本発明の第七の発明に関して、
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、（例えばおよそ）１６０ｍｓ（を超えて）より大となる場合が多く、周波数にして６．２５Ｈｚ未満（でしか（能動的には）入力できない状態である）と言うことができる。
そのように低い心理的統合度にある被験者にとっても例えば２Ｈｚで設定された前記第一周波数での前記シンボルの明滅に（受動的に）追従して同調した入力をなすことは（非常に）容易なことであり、被験者により同調の追従が放棄されるような場合を防ぐことができる。
また、前記第一周波数を２Ｈｚで設定することにより、明滅に対する入力の追従に関して被験者（の（高速度的）低次元的認識部門）に生じる同調成功的達成認識（あるいは入力タイミング修正成功的達成認識）（に基づく追従続行推進力）の、明滅周期の長さによる入力待ち時間の長さにおける減退による追従続行推進力低下、単調性の感覚（心理的統合度増大に寄与しない感覚）の発生、を防ぐことができる。
前記シンボル明滅の前記第二周波数における１１Ｈｚは、心理的統合状態グラフ表示装置により観測される時間（入力時間間隔）の観点では９０ｍｓ程度に相当する。
被験者の心理的統合度が最大に近いレベルにある時であっても心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は例えば１４０ｍｓ程度であり（１４０ｍｓ程度以下には（非常に）なり難く）、周波数にして７Ｈｚ程度である（７Ｈｚ程度以上には（非常に）なり難い）。
しかし、１１Ｈｚの前記第二周波数で明滅する前記シンボルの明滅を視覚認識することは、（心理的統合度が大ではない時でさえ）被験者にとり（非常に）容易なことであり、
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、例えば６．２５Ｈｚ未満〜４Ｈｚ以下である場合が多いが、
前記第二周波数を、１１Ｈｚに設定することにより、被験者が１１Ｈｚに（ある程度）近い周波数（（最大で）例えばおよそ８〜１２．５Ｈｚ）で入力を行うことが（明滅周波数増大の視覚認識追従により）瞬時的に可能となる場合が多いということは、被験者の心理的統合度の瞬時的増大に等しいことである場合が多い。
また、前記第二周波数を、１１Ｈｚに設定することは、追従に適度の難度を生じ被験者（の低次元的認識（応答）部門）に追従への専念を促すと考えられる、すなわち、
明滅に対する入力の追従は、被験者の（情報処理が）高速度である低次元的認識（応答）部門によって（主に）行われ得ると考えられるが、１１Ｈｚに設定することは前記第二周波数を、情報処理が高速度である低次元的認識（応答）部門には単純かつ高速度に（逐一的に）認識応答可能な情報とし、
情報処理が低速度である高次元的認識理解（応答）部門には（逐一）理解応答がより困難な情報として、高次元的認識理解部門からの（入力（運動）に対する抑制的）干渉をより減少させ得ると考えられる等のため、６Ｈｚ近傍に設定する場合に比較して優位である場合があると考えられる。
【００５２】  また、本発明において、
２Ｈｚに設定される第一周波数が、被験者にとり追従入力を行うことがある程度緩慢過ぎる程度に冗長なものである場合、その周波数より高周波数側にある（本発明使用（直）前の）被験者の心理的統合状態を（入力を行うことがより適度に容易な周波数として）経由して、（入力時間間隔の減少に伴い低速度的高次元（認識部門）的干渉を排しながら）（不可能性を超えるという意味で）トンネル的に、（強力に、）第二周波数として設定される１１Ｈｚ（に近い周波数）に相応する程度までの心理的統合度の増大が（瞬時的に）達成され得る場合が多い。
【００５３】  また、
第一周波数を、被験者にとり追従入力を行うことが簡単な（ある程度緩慢な程度に冗長な）周波数として、２Ｈｚ（程度）に設定し、
第二周波数を、能動入力不可能的周波数として、１１Ｈｚ（程度）に設定し、
前記所定の時間を、例えば３２秒（程度）に設定し、
前記第一周波数から前記第二周波数への前記周波数の増大は、例えば線形的増大である場合において、
本発明使用（直）前の被験者の（低レベルの）心理的統合状態（心理的統合状態グラフ表示装置により観測される時間（入力時間間隔）に基づく周波数）、心理的統合度周波数、がその冗長的周波数２Ｈｚに比較してより高周波数側にある場合等には、
明滅周波数増大に応じ（被験者が）入力周波数を第一周波数近傍程度から増大させていく際、本発明使用（直）前の被験者の（低レベルの）心理的統合状態（記憶された心理的統合度周波数）に相応する心理的統合度周波数近傍程度の明滅周波数に至ると、
被験者は、
記憶における本発明使用（直）前心理的統合度周波数（この周波数は、この周波数近傍の明滅周波数を被験者が視覚認識することにより被験者の記憶において励起可能となり被験者による運動周波数（入力周波数）に引用的に利用され得るようになると考えられる）を（共鳴的に）引用的に参照、利用して入力（の運動）を行う傾向が生じ、
このことは、記憶周波数（の近似的）利用（引用）に由来して、
（明滅周波数増大に逐一忠実に調節的に追従の入力を行うことに比較して）
入力周波数を（明滅周波数増大以上に）増大（例えば入力時間間隔において数十ｍｓ程度短縮）させ得る場合があると考えられ、
入力を行うことがより記憶参照的高速度に容易に可能となる（（記憶的に）引力性を有する）周波数として経由して（推進力を増し）、（さらに入力時間間隔の減少に伴い低速度的高次元的認識応答部門からの干渉を排しながら、）（不可能性を超えるという意味で）トンネル的に、
第二周波数である能動入力不可能的周波数としての１１Ｈｚ（程度）（に近い周波数）に相応する程度までの心理的統合度の増大が達成される場合が多い。
本発明使用（直）前の被験者の心理的統合状態に相当する周波数近傍程度の明滅から、１１Ｈｚ（程度）の明滅への明滅周波数増大に対する（不可能性を超えるという意味で）トンネル的になされる追従の入力の周波数の増大は、心理的統合状態グラフ表示装置で観測される心理的統合状態グラフ（入力時間間隔の推移グラフ）で見ると、
入力時間間隔の推移グラフの傾斜が、本来明滅周波数の線形的増大に対応して線形的傾斜（明滅受動追従的入力周波数の線形的増大）であるべきところが、
本発明使用（直）前の被験者の心理的統合状態に相当する周波数程度において屈折点を有し、それより高入力周波数において、傾斜が（それより低入力周波数部分に比較して）緩やかになる傾向（入力試行数に対する入力時間間隔の減少度が低下する傾向）が見られる場合が多い。
屈折点近傍程度以降の高周波数において（追従が可能となる場合には）トンネル的推進力を有するものの、本発明使用（直）前の被験者の心理的統合状態（に相当する潜在的周波数）に抗されている状態を反映するものと考えられる。
またその屈折点近傍以降の高周波数においては、例えば各１０入力試行数に対する標準偏差が（それより低入力周波数部分に比較して）減少する傾向が見られる場合が多く、（高速度的低次元的部門活動増大等による）より統合的かつ限界的な追従が行われていると考えられる。
このように心理的統合状態グラフ（入力時間間隔の推移グラフ）の（例えば各１０入力試行数に対する）標準偏差の（時間軸に対する）変化、屈折点、屈折点における入力時間間隔は、（その入力時間間隔に基づく周波数（心理的統合度周波数）により）、本発明使用（直）前の被験者の心理的統合状態に相当する（潜在的）周波数（潜在的心理的統合度周波数（準位））（や、学習済みであり記憶されている（より弱い）潜在的周波数（準位））の値を推測するために利用され得る可能性があると考えられる。
【００５４】  （本発明使用（直）前の）被験者の心理的統合状態が２Ｈｚ（程度）（第一周波数）より例えば高周波数側にある場合における、
２Ｈｚ（程度）（第一周波数）から、第一周波数より高周波数側にある（本発明使用（直）前の）被験者の心理的統合状態に相応する周波数程度、までの明滅周波数増大に対する入力の追従に関して、
この際の（以降に比較して緩慢的）追従は、（追従開始時のある程度交感神経系活動的から）（その後、記憶されている周波数（本発明使用（直）前の被験者の心理的統合状態に相応する周波数）以下の明滅周波数への追従であることもあり）副交感神経系活動的に行われる場合があると考えられ、追従がわずかに低精度でわずかに（明滅に対して遅延的に）非同調を生じる場合があるが、その誤差（非同調）は被験者（の（ある程度）低次元の認識部門）において（比較的）強く認識されるものと考えられわずかに（瞬時的に）交感神経系活動的に（逐一的に）（入力）タイミング修正され明滅に追従される場合が多いと考えられるが、このような修正が、本発明使用（直）前の被験者の心理的統合状態に相応する程度の明滅周波数の近傍明滅周波数に対する追従に至ると、
明滅周波数より入力周波数の方が（記憶周波数簡易引用的に）高くなる（入力時間間隔において数十ｍｓ程度短縮される）場合があり、誤差（（明滅に対して先行的な）追従上の非同調）（明滅の視覚認識のタイミングと入力のタイミングとの乖離）が生じ、それが被験者（の低次元認識部門）において（相当）強く認識されることにより（より交感神経系活動的に）（入力）タイミング修正され（低次元認識部門の活動の一層の増大とともに）追従度がより増大することにもより、１１Ｈｚ（程度）（第二周波数程度）の入力へトンネル可能となる場合が多いと考えられる。
【００５５】  例えば、本発明使用（直）前の被験者の心理的統合状態に相当する周波数が２Ｈｚ（程度）（第一周波数）と１１Ｈｚ（程度）（第二周波数）との間にあるような場合には、
この（ある程度追従にとり）冗長な２Ｈｚ（程度）に設定された第一周波数から、本発明使用（直）前の被験者の心理的統合状態に相当する周波数（のある程度以上）までの明滅周波数増大に対する入力の追従は、（交感神経系活動的から）副交感神経系活動的に行われ、
本発明使用（直）前の被験者の心理的統合状態に相当する周波数（程度）から１１Ｈｚ（程度）の第二周波数までの明滅周波数増大に対する（不可能性を超えるという意味で）トンネル的な入力の追従は、記憶周波数（本発明使用（直）前の被験者の心理的統合状態に相応する周波数）以上の明滅周波数への追従であることもあり、）交感神経系活動的（ｅｐｉｎｅｐｈｒｉｎｅ、ｎｏｒｅｐｉｎｅｐｈｒｉｎｅ的）に行われている可能性が考えられる。
【００５６】  また、３２Ｈｚ近傍に設定する場合に比較して、前記第二周波数を、１１Ｈｚに設定することで、前記シンボルの明滅がフリッカ融合周波数（ｆｌｉｃｋｅｒ  ｆｕｓｉｏｎ  ｆｒｅｑｕｅｎｃｙ）（や出力装置やコンピュータの性能）を超えることが無く、（被験者にとり）明滅の認識がより（明確に）可能となり、入力を明滅に同調してなすこと（追従）がより可能となる場合があると考えられる。
【００５７】本発明の第八の発明では、請求項５に記載の心理的統合度瞬時増大装置において、
前記明滅の一周期を、前記シンボルを出力装置に表示するシンボル表示時間と前記シンボルを出力装置に非表示にするシンボル非表示時間とから構成し、
前記第一周波数における前記シンボル表示時間を、２５０ｍｓ（程度）に設定し、
前記第一周波数における前記シンボル非表示時間を、２５０ｍｓ（程度）に設定し、
前記第二周波数における前記シンボル表示時間を、４７ｍｓ（程度）に設定し、
前記第二周波数における前記シンボル非表示時間を、４７ｍｓ（程度）に設定する。
【００５８】本発明の第八の発明は、第七の発明のより具体的な一例である。
本発明の第八の発明において、
前記シンボルの明滅に同調するようにしてなされる前記被験者の入力とは、（例えば、）
前記シンボル表示時間に前記シンボルが出力装置に表示されたことを視覚認識した瞬間に、前記被験者が瞬間的になす（入力受付手段（入力装置、入力部分）への）入力（瞬間的に例えば押す等の運動）のことである。
【００５９】本発明の第九の発明では、請求項７〜８のいずれか一項に記載の心理的統合度瞬時増大装置において、
前記所定の時間は、３２秒（程度）に設定する。
前記所定の時間が３２秒（程度）とは、
前記シンボル明滅の前記第一周波数から前記第二周波数への増大に同調して入力をなす被験者に、同調における周波数追従上無理を生じない程度の長さであり、かつ被験者に追従の際緩慢を生じない程度の短さの時間である。
【００６０】本発明の第十の発明では、請求項５に記載の心理的統合度瞬時増大装置において、
前記第一周波数を、４Ｈｚ（程度）に設定し、前記第二周波数を、１１Ｈｚ（程度）に設定する。
【００６１】本発明の第十の発明に関して、
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、（例えばおよそ）１６０ｍｓより大となる場合が多く、周波数にして６．２５Ｈｚ未満（でしか（能動的には）入力できない状態である）と言うことができる。
そのように低い心理的統合度にある被験者にとっても例えば４Ｈｚで設定された前記第一周波数での前記シンボルの明滅に追従して同調した入力をなすことは（受動的である等ために）容易なことであり、被験者により同調の追従が放棄されるような場合を防ぐことができる。
また、前記第一周波数を４Ｈｚで設定することにより、明滅に対する入力の追従に関して被験者（の（高速度的）低次元的認識部門）に生じる同調成功的達成認識（あるいは入力タイミング修正成功的達成認識）（に基づく追従続行推進力）の、明滅周期の長さによる入力待ち時間の長さにおける減退による追従続行推進力低下、単調性の感覚（心理的統合度増大に寄与しない感覚）の発生、を防ぐことができる。
また、前記第一周波数を４Ｈｚに設定することにより、
既に被験者により学習され記憶済みとなっており（受動的に）励起可能となっている潜在的（入力）周波数（潜在的心理的統合度周波数）（準位）の中でも、心理的統合度瞬時増大に寄与しない過度に低周波数な潜在的（入力）周波数（潜在的心理的統合度周波数）（準位）を、前記シンボル明滅の過度に低周波数な特性が、（共鳴的に）励起してしまい、過度に低周波数的（過度に低レベルの）心理的統合状態（準位）への被験者の心理的統合状態の捕捉により被験者に緩慢化が発生してしまうことを防ぐことができる。
（例えば、本発明使用（直前）前に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）（の例えば２０試行数程度における平均値）が、例えば２６０ｍｓ程度であるような非統合度のより強い心理的統合状態にある場合であっても、すなわち、（能動的）入力時間間隔において２６０ｍｓ程度以上（周波数にしておよそ３．８５Ｈｚ程度以下）でしか能動的な（繰り返し）入力ができないような（心理的統合）状態にある場合であっても、視覚認識に基づく受動的な追従の運動であることや、あるいは４Ｈｚ程度の運動は、既に被験者により学習記憶済みであり、前記シンボルの（４Ｈｚ程度での）明滅により瞬時に励起され（入力運動的に）再現可能となり得る記憶された潜在的周波数の一つである可能性がある等のために、例えば４Ｈｚで設定された前記第一周波数での前記シンボル明滅に追従して同調した入力をなすことは容易なこととして（第一周波数並びにそれ以降の周波数増大に）追従可能となる場合がある。）
前記シンボル明滅の前記第二周波数における１１Ｈｚは、心理的統合状態グラフ表示装置により観測される時間（入力時間間隔）の観点では９０ｍｓ程度に相当する。
被験者の心理的統合度が最大に近いレベルにある時であっても心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は例えば１４０ｍｓ程度であり（１４０ｍｓ程度以下には（非常に）なり難く）、周波数にして７Ｈｚ程度である（７Ｈｚ程度以上には（非常に）なり難い）。
しかし、１１Ｈｚの前記第二周波数で明滅する前記シンボルの明滅を視覚認識することは、（心理的統合度が大ではない時でさえ）被験者にとり（非常に）容易なことであり、
被験者の心理的統合度が大ではない時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）は、例えば６．２５Ｈｚ未満〜４Ｈｚ以下である場合が多いが、
前記第二周波数を、１１Ｈｚに設定することにより、被験者が１１Ｈｚに（ある程度）近い周波数（（最大で）例えばおよそ８〜１２．５Ｈｚ）で入力を行うことが（明滅周波数増大の視覚認識追従により）瞬時に可能となる場合が多いということは、被験者の心理的統合度の瞬時的増大に等しいことである場合が多い。
また、前記第二周波数を、１１Ｈｚに設定することは、追従に適度の難度を生じ被験者（の低次元的認識（応答）部門）に追従への専念を促すと考えられる、すなわち、
明滅に対する入力の追従は、被験者の（情報処理が）高速度である低次元的認識（応答）部門によって（主に）行われ得ると考えられるが、１１Ｈｚに設定することは前記第二周波数を、情報処理が高速度である低次元的認識（応答）部門には単純かつ高速度に（逐一的に）認識応答可能な情報とし、
情報処理が低速度である高次元的認識理解（応答）部門には（逐一）理解応答がより困難な情報にして、高次元的認識理解部門からの（入力（運動）に対する抑制的）干渉をより減少させ得ると考えられる等のため、６Ｈｚ近傍に設定する場合に比較して優位である場合があると考えられる。
また、３２Ｈｚ近傍に設定する場合に比較して、前記第二周波数を、１１Ｈｚに設定することで、前記シンボルの明滅がフリッカ融合周波数（ｆｌｉｃｋｅｒ  ｆｕｓｉｏｎ  ｆｒｅｑｕｅｎｃｙ）（や出力装置やコンピュータの性能）を超えることが無く、（被験者にとり）明滅の認識がより（明確に）可能となり、入力を明滅に同調してなすこと（追従）がより可能となる場合があると考えられる。
【００６２】本発明の第十一の発明では、請求項５に記載の心理的統合度瞬時増大装置において、
前記明滅の一周期を、前記シンボルを出力装置に表示するシンボル表示時間と前記シンボルを出力装置に非表示にするシンボル非表示時間とから構成し、
前記第一周波数における前記シンボル表示時間を、１２５ｍｓ（程度）に設定し、
前記第一周波数における前記シンボル非表示時間を、１２５ｍｓ（程度）に設定し、
前記第二周波数における前記シンボル表示時間を、４７ｍｓ（程度）に設定し、
前記第二周波数における前記シンボル非表示時間を、４７ｍｓ（程度）に設定する。
【００６３】本発明の第十一の発明は、第十の発明のより具体的な一例である。
本発明の第十一の発明において、
前記シンボルの明滅に同調するようにしてなされる前記被験者の入力とは、（例えば、）
前記シンボル表示時間に前記シンボルが出力装置に表示されたことを視覚認識した瞬間に、前記被験者が瞬間的になす（入力受付手段（入力装置、入力部分）への）入力（瞬間的に、例えば押す等の運動）のことである。
【００６４】本発明の第十二の発明では、請求項１０〜１１のいずれか一項に記載の心理的統合度瞬時増大装置において、
前記所定の時間は、６秒（程度）に設定する。
前記所定の時間が６秒（程度）とは、
前記シンボル明滅の前記第一周波数から前記第二周波数への増大に同調して入力をなす被験者に、同調における周波数追従上無理を生じない程度の長さであり、かつ被験者に追従の際緩慢を生じない程度の短さの時間である。
第二周波数は同等にして、
第一周波数を請求項１０〜１１のいずれか一項に記載の心理的統合度瞬時増大装置におけるように高めに設定する場合には、
前記所定の時間を、
（第一周波数を請求項７〜８のいずれか一項に記載の心理的統合度瞬時増大装置におけるように設定する場合に適当である３２秒程度から、）
６秒程度に（かなり削減）することが可能となる。
【００６５】本発明の第十三の発明では、請求項５〜１２のいずれか一項に記載の心理的統合度瞬時増大装置において、
前記第一周波数から前記第二周波数への前記周波数の増大は、線形的増大である。
前記周波数の線形的増大は、本発明の繰り返し使用によっても被験者（の（主に）（高速度的）低次元的認識応答部門）に精密には学習され難く（また高次元的認識理解応答部門によっても全く学習され難く）、追従において順応の慣れを（ほとんど全く）生じ難い。
（前記第一周波数から前記第二周波数への前記周波数の増大は、非線形的増大である場合があってもよい。）
【００６６】本発明の第十四の発明は、
請求項１〜１３のいずれか一項に記載の心理的統合度瞬時増大装置であり、
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
該使用以降心理的統合状態記録手段により記憶装置に記憶された前記使用以降心理的統合状態を記憶装置から読み出し出力装置に出力し、
前記心理的統合度瞬時増大装置使用以降の前記被験者の心理的統合度の変化の程度を可視化して観察可能にする心理的統合度増大状況可視化手段と、
を備える。
【００６７】本発明の第十五の発明は、
請求項１〜１３のいずれか一項に記載の心理的統合度瞬時増大装置であり、
請求項１〜１３のいずれか一項に記載の心理的統合度瞬時増大装置使用前において、
心理的統合状態グラフ表示装置の手段により被験者の心理的統合状態の記録を行い、前記被験者の使用前心理的統合状態として記憶装置に記憶する使用前心理的統合状態記録手段と、
請求項１〜１３のいずれか一項に記載の心理的統合度瞬時増大装置使用以降において、
心理的統合状態グラフ表示装置の手段により前記被験者の心理的統合状態の記録を行い、使用以降心理的統合状態として記憶装置に記憶する使用以降心理的統合状態記録手段と、
前記使用前心理的統合状態記録手段により記憶装置に記憶された前記使用前心理的統合状態と前記使用以降心理的統合状態記録手段により記憶装置に記憶された前記使用以降心理的統合状態とを記憶装置から読み出し並置して出力装置に出力し、
前記心理的統合度瞬時増大装置使用前から、
前記心理的統合度瞬時増大装置使用以降への、
前記心理的統合度瞬時増大装置使用による前記被験者の心理的統合度の変化の程度を可視化して観察可能にする心理的統合度増大状況可視化手段と、
を備える。
【００６８】本発明の第十四、第十五の発明において、
心理的統合状態グラフ表示装置の手段とは、特開２０１１−２５５１９４号公報、
心理的統合状態グラフ表示装置の請求項１、請求項３、請求項４、請求項５、（のすべてあるいは数項からなる組み合わせ、あるいはいずれか一項）における手段である。
（心理的統合状態グラフ表示装置手段。）
（特開２０１１−２５５１９４号公報には、心理的統合状態グラフ表示装置「により得られる、」能動的、内生的「繰り返し運動における一運動（要素）に要する時間の（繰り返し運動を通しての）時系列は、」心理的統合状態グラフ表示装置「による測定時点での（被験者が測定時点近傍において何らかの情報処理（情報受容）を行っていたのであれば、その情報処理（情報受容）による心理的統合状態の（適応の）影響（想起速度の変動、情報処理圧の発生）を残像的に受けた）被験者の心理的統合状態（被験者の集中度、被験者に対する負荷（残像）の影響の程度、等）を反映している。」との記載がある。）
【００６９】本発明の第十四の発明に関して、
請求項１〜１３のいずれか一項に記載の心理的統合度瞬時増大装置使用以降において、
心理的統合状態グラフ表示装置の手段により前記被験者の心理的統合状態の記録を行う際、
（（被験者にとり続行する点で無理のある）第二周波数（に近い高周波数）での入力に至った後は、入力試行数にして９０〜２５０程度で、増大した統合度保持的に（本発明使用により増大した心理的統合度を惰性的、慣性的に保存した状態で）追従が終了される場合が多いことから、）
本発明使用以降における入力試行数が最大でも２６０〜６００程度を越えることが無いように設定する手段をさらに備える場合があるとしてもよい。
【００７０】本発明の第十五の発明に関して、
請求項１〜１３のいずれか一項に記載の心理的統合度瞬時増大装置使用前において、
心理的統合状態グラフ表示装置の手段により被験者の心理的統合状態の記録を行う際
入力試行数が最大でも１００〜６００程度を越えることが無いように設定する手段をさらに備える場合があるとしてもよい。
請求項１〜１３のいずれか一項に記載の心理的統合度瞬時増大装置使用以降において、
心理的統合状態グラフ表示装置の手段により前記被験者の心理的統合状態の記録を行う際、
（（被験者にとり続行する点で無理のある）第二周波数（に近い高周波数）での入力に至った後は、入力試行数にして９０〜２５０程度で、増大した統合度保持的に（本発明使用により増大した心理的統合度を惰性的、慣性的に保存した状態で）追従が終了される場合が多いことから、）
入力試行数が最大でも２６０〜６００程度を越えることが無いように設定する手段をさらに備える場合があるとしてもよい。
【００７１】本発明の第十六の発明は、
請求項１〜１５のいずれか一項に記載の心理的統合度瞬時増大装置における手段としてコンピュータを機能させることを特徴とするプログラム。
【００７２】本発明の第十七の発明は、
請求項１６に記載のプログラムを記録したことを特徴とするコンピュータ読み取り可能な記録媒体。
【００７３】  図１に関して、
（図１のグラフにおいて、
ｙ座標軸方向（上方向）は、（特開２０１１−２５５１９４号公報における意味での）（例えばキーボードのスペースキー押し）入力時間間隔に基づいており（目盛りは、１０ｍｓ単位）、心理的統合度減少方向を表しており、ｘ座標軸方向は、（特開２０１１−２５５１９４号公報における意味での）（例えばキーボードのスペースキー押し）入力試行数に基づいている（時間的座標軸）。）
（例えば１５０ｍｓ（〜１４０ｍｓ）程度が、被験者の心理的統合度が大である時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）の（下限的）値に関係する。（心理的統合度大１５０ｍｓ基準線６を参照。））
図１において、
心理的統合第一状態２は、本発明使用（明滅シンボル表示開始３）（直）前において前記心理的統合状態グラフ表示装置の手段（を作動させること）により測定記録された被験者の（ある程度非統合的な）心理的統合状態を表しており（心理的統合度大１５０ｍｓ基準線６を参照）、明滅シンボル表示開始３は、明滅するシンボル１の出力装置（例えば、ディスプレイ３０４等）への表示開始時点を（およそ）表しており、
明滅の周波数が増大するシンボルに同調するようにしてなされる前記被験者の入力の推移４は、（前記心理的統合状態グラフ表示装置の手段（を（（明滅シンボル表示制御手段、入力受付手段、明滅周波数増大手段と）並列的に）作動させること）により測定記録されたものであり、）（本図は、第一周波数を、被験者にとり追従入力を行うことが簡単な（ある程度緩慢な程度に冗長な）２Ｈｚ（程度）に設定し、
第二周波数を、能動入力不可能的周波数として、１１Ｈｚ（程度）に設定し、
前記所定の時間を、３２秒（程度）に設定し、
前記第一周波数から前記第二周波数への前記周波数の増大は、線形的増大とした場合の一例であり、）
（前記第一周波数から開始される第一周波数近傍程度の（低周波数）明滅に同調して（受動的に）入力を行うことは、心理的統合第一状態２のような心理的にある程度非統合な状態にある前記被験者にとってさえ非常に簡単なことであり、）
シンボルの明滅周波数の増大に同調するようにしてなされる前記被験者の入力の推移状態を表しており、
心理的統合第二状態５は、
（前記心理的統合状態グラフ表示装置の手段（を（（明滅シンボル表示制御手段、入力受付手段、明滅周波数増大手段と）並列的に）作動させること）により測定記録されたものであり、）心理的統合第一状態２のような心理的にある程度非統合な状態にある前記被験者にとっては（本発明（明滅シンボル表示制御手段、入力受付手段、明滅周波数増大手段）の使用なしで）能動的に入力の運動を行うことが（全く）困難（不可能）である程の高周波数である前記第二周波数で明滅するシンボルの表示に、前記被験者としてある程度意図せずとも極度に最大限に同調して入力がなされている（同調することが極度に簡単に可能となっている）前記被験者の入力の推移の状態を表しており、
この状態（このようにして得られた（入力時間間隔の短さに由来する）心理的統合状態）が慣性、惰性、継続性を有するものであるため、
本発明使用後においても前記被験者が、他の例えばより難度の高い高次元の情報処理を行うための心理的推進力等として利用可能な前記被験者の極度に統合的な心理的統合状態となり得る。
【００７４】本発明に関して、
（繰り返し）運動等の周波数生成においては、記憶（空間）等において根拠となる（運動に適用可能な）周波数を参照しようとする所があり、
（（非直近的に）学習済みであり（瞬時的ではない記憶容量に）記憶されているが（運動周波数生成に引用されるためには）ある程度能動的に検索されるか、受動的に励起される必要のある（潜在的）周波数（準位）に比較して、）
最も検索が容易な直近記憶（瞬時記憶容量）に、（視覚認識由来で（逐次的に）生成されている）周波数や現在実現されている運動の周波数がある場合には、それを（運動生成の周波数として）（引用的に）（受動的に）選択する傾向がある。
第二周波数程度は入力周波数としては無理があるが、明滅周波数の増大に伴い入力時間間隔が、（低速度的）高次元判断部門からの（抑制的）干渉をより受け難い程度に短くなってきており、（高速度的、短絡的）低次元部門に本質的な最大速度的短絡的応答（高次元部門的には意図しない応答）がより中心的に可能となってきており、一層（高速度的、短絡的）低次元部門が活動を増す等することにより、前記シンボルの明滅周波数増大に対する視覚的追従で（牽引され）受動的に達成された（被験者にとり）無理な第二周波数を、その周波数が、最も検索が容易な直近記憶（瞬時記憶容量）にあるために、引用的に次の運動周波数生成の根拠とし、またその周波数を保持しようとする帰還力（高精度追従能力、タイミング誤差修正能力）を（高速度的、短絡的）低次元部門活動性増大により増大させている可能性があり、
またこのような際の低次元部門の応答は、本質的な最大速度にあるため、応答時間は下限的（限界的）水準に至っており、入力時間間隔が同一程度で推移することになる場合が多いが、
（被験者にとり）同一程度の入力時間間隔での入力の連続となることで、
その入力の周波数が繰り返しにより学習され記憶されることにもなり、より固定化され、（明滅の）第二周波数（に近い程度の周波数）が記憶に内部化される可能性がある。
このようにして内部化された周波数に基づく被験者の増大した心理的統合度（心理的統合状態）は、惰性、慣性を有する所があり（この点、例えばエピネフリン（ｅｐｉｎｅｐｈｒｉｎｅ）、アドレナリン（ａｄｒｅｎａｌｉｎｅ）等の被験者における合成等の関与が考えられる）、それ以降の被験者の、明滅等外部誘導を伴わずとも能動的になし得る（繰り返し）入力等運動の基準（参照）周波数となり得る場合が（非常に）多く、
さらにまた被験者によって他の（（低次元的に生成されながらはるかに高次元的な複雑な）情報処理においても心理的推進力として実際に活用可能となる場合が非常に多い等、
結果として、
被験者の心理的統合状態を増大方向に誘導可能となったことに等しい場合が多く、たとえ本発明使用（直）前に被験者が（相当な）心理的非統合状態にあった時でさえ、被験者の心理的統合度の瞬時的増大（増大への改変）を、非常に強力かつ極度に簡単に実現可能にすることができる場合が非常に多い。
【００７５】図５に関して、
（図５のグラフにおいて、
ｙ座標軸方向（上方向）は、（特開２０１１−２５５１９４号公報における意味での）（例えばキーボードのスペースキー押し）入力時間間隔に基づいており（目盛りは、１０ｍｓ単位）、心理的統合度減少方向を表しており、ｘ座標軸方向は、（特開２０１１−２５５１９４号公報における意味での）（例えばキーボードのスペースキー押し）入力試行数に基づいている（時間的座標軸）。）
（例えば１５０ｍｓ（〜１４０ｍｓ）程度が、被験者の心理的統合度が大である時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）の（下限的）値に関係する。（心理的統合度大１５０ｍｓ基準線６を参照。））
図５において、
心理的統合第一状態２は、（ｄａｕｎｔｉｎｇ  ｔａｓｋ）処理が難しい課題を前にした被験者の、本発明使用（明滅シンボル表示開始３）（直）前において前記心理的統合状態グラフ表示装置の手段（を作動させること）により測定記録された（非統合的な）心理的統合状態であり（心理的統合度大１５０ｍｓ基準線６を参照）、
明滅シンボル表示開始３は、明滅するシンボル１の出力装置（例えば、ディスプレイ３０４等）への表示開始時点を（およそ）表しており、
明滅の周波数が増大するシンボルに同調するようにしてなされる前記被験者の入力の推移４は、（前記心理的統合状態グラフ表示装置の手段（を（（明滅シンボル表示制御手段、入力受付手段、明滅周波数増大手段と）並列的に）作動させること）により測定記録されたものであり、）（本図は、第一周波数を、被験者にとり追従入力を行うことが簡単な（ある程度緩慢な程度に冗長な）２Ｈｚ（程度）に設定し、
第二周波数を、能動入力不可能的周波数として、１１Ｈｚ（程度）に設定し、
前記所定の時間を、３２秒（程度）に設定し、
前記第一周波数から前記第二周波数への前記周波数の増大は、線形的増大とした場合の一例であり、）
（前記第一周波数から開始される第一周波数近傍程度の（低周波数）明滅に同調して（受動的に）入力を行うことは、心理的統合第一状態２のような心理的に非統合な状態にある前記被験者にとってさえ非常に簡単なことであり、）
シンボルの明滅周波数の増大に同調するようにしてなされる前記被験者の入力の推移状態を表しており、
心理的統合第二状態５は、
（前記心理的統合状態グラフ表示装置の手段（を（（明滅シンボル表示制御手段、入力受付手段、明滅周波数増大手段と）並列的に）作動させること）により測定記録されたものであり、）心理的統合第一状態２のような心理的に非統合状態にある前記被験者にとっては（本発明（明滅シンボル表示制御手段、入力受付手段、明滅周波数増大手段）の使用なしで）能動的に入力の運動を行うことが全く不可能である程の高周波数である前記第二周波数で明滅するシンボルの表示に、前記被験者として（明滅周波数の増大に追従しているうちに）ある程度意図せずとも最大限に同調して極度に高周波数の入力をなすことが極度に簡単に可能となっている前記被験者の入力の推移の状態を表しており、
このようにして得られた（入力時間間隔の短さに由来する）心理的統合度増大状態が慣性、惰性、継続性を有するものであったため、本発明使用後においても強力な情報処理推進力となり、前記被験者が（ｄａｕｎｔｉｎｇ  ｔａｓｋ）処理が難しい課題を（トンネル的にポテンシャルを超えて）処理することが可能となった場合の一例である。
【００７６】図６に関して、
（図６のグラフにおいて、
ｙ座標軸方向（上方向）は、（特開２０１１−２５５１９４号公報における意味での）（例えばキーボードのスペースキー押し）入力時間間隔に基づいており（目盛りは、１０ｍｓ単位）、心理的統合度減少方向を表しており、ｘ座標軸方向は、（特開２０１１−２５５１９４号公報における意味での）（例えばキーボードのスペースキー押し）入力試行数に基づいている（時間的座標軸）。）
（例えば１５０ｍｓ（〜１４０ｍｓ）程度が、被験者の心理的統合度が大である時に心理的統合状態グラフ表示装置により観測される（能動的）時間（（能動的）入力時間間隔）（被験者が、被験者に実行可能な速度で（能動的に）キーボードの（同一）キー（例えばコンピュータのスペースキー）を（例えば利き手の人差し指で）繰り返し押すようにした場合の各試行（各スペースキー押し運動）に要した時間）の（下限的）値に関係する。（心理的統合度大１５０ｍｓ基準線６を参照。））
図６は、本発明の第十五の発明の
請求項１〜４のいずれか一項に記載の心理的統合度瞬時増大装置において、
（本図は、
第二周波数を、能動入力不可能的周波数として、１１Ｈｚ（程度）に設定した場合の一例であり、）
心理的統合第一状態２は、本発明使用（明滅シンボル表示開始３）（直）前において前記心理的統合状態グラフ表示装置の手段（を作動させること）により測定記録された（被験者の非統合的な）心理的統合状態であり、
明滅シンボル表示開始３は、明滅するシンボル１の出力装置（例えば、ディスプレイ３０４等）への表示開始時点を（およそ）表しており、
心理的統合第二状態５は、
（前記心理的統合状態グラフ表示装置の手段（を（（明滅シンボル表示制御手段、入力受付手段、明滅周波数手段と）並列的に）作動させること）により測定記録されたものであり、）
心理的統合第一状態２のような心理的に非統合状態にある前記被験者にとっては（本発明（明滅シンボル表示制御手段、入力受付手段、明滅周波数手段）の使用なしで）能動的に入力の運動を行うことが全く不可能である程の高周波数である前記第二周波数で明滅するシンボルの表示に、前記被験者としてある程度意図せずとも受動的に最大限に同調して入力をなすことが極度に簡単に可能となっている前記被験者の入力の推移の状態を表している。
このようにして得られた（入力時間間隔の短さに由来する）心理的統合度増大状態が慣性、惰性、継続性を有するものであったため、本発明使用後においても前記被験者が、他の例えばより難度の高い高次元の情報処理を行うための心理的推進力等として利用可能な前記被験者の極度に統合的な心理的統合状態となり得た場合の一例である。
【００７７】本発明における（第一周波数から、）特に第二周波数近傍に関して、
（反射的に行われ得るような）簡単な課題（さらにある程度変動性のある課題）への応答のために被験者が要する時間は、（特に、課題に対する応答後間断なく次の課題が提示され応答が要求されることが連続する場合には）その時間は被験者の主観（や、ある程度心理状況）によってはより制御し難い客観的なもの（機械的応答、短絡的応答）（（低次元部門的）最大限界的反応速度）となる可能性がある。
（本発明では、被験者の情報処理基本的周波数、心理的統合度の瞬時増大を客観的に（非主観的に）（機械的に）牽引する可能性がある。）
【００７８】本発明における（第一周波数から、）第二周波数近傍に関して、
課題に対する応答がより反射的に行われるような、非常に簡単なしかし低次元（記憶空間）部門レベルにおいて低次元部門的に納得できる（（理解）共鳴を生じさせ得る）特質を有するものであれば、
低速度的高次元（記憶空間部門）による課題（や応答）を主観的に選好するか否かの判断の開始を待たずに、
機械的に高速度的低次元部門により忠実に受容され得る可能性があると考えられ、その場合、瞬時的に低次元的課題応答に基づき、瞬時記憶容量ｅｘｃｌｕｓｉｏｎ（容量限界）により旧課題（や旧応答）等が駆逐、崩壊され、新たな心理的統合状態の低次元的、非主観的、瞬時的生成が可能となる可能性（より専念度（統合度）を増大させる可能性）があると考えられる。
【００７９】本発明における、主に第二周波数近傍に関して、
また、本発明における課題の投入は、
コンピュータが間断なく投入することを連続するため、被験者としては受動的に、課題が被験者の記憶空間（内部参照）では能動生成できないような高周波数、高速度で機械的にコンピュータ的速度で投入され、
それを被験者記憶空間における低次元部門が低次元部門における納得度（低次元部門においてのみの低次元部門的納得度）成立（閾値）を根拠として
忠実に高速度で、高次元部門での課題に対する納得（高次理解共鳴）成立をほぼ全く待つことなく機械的に受容しようとする（低次元的忠実さでコンピュータ的速度に、低次元部門として最大限度で追従しようとする）（低次元部門（反応経路）は、反応を能動的に待つことが難しい可能性がある）ことにより、またそれらの繰り返しにより低次元的情報処理（速度）圧を生じ、本発明は、被験者の基本的情報処理周波数の増大、心理的統合度の瞬時増大を牽引している可能性があると考えられる。
【００８０】本発明の、主に第二周波数近傍に関して、
低次元的課題に対する低次元的応答、低次元的納得（閾値）を低次元的瞬間さで生じた後に、連続的に低次元的課題がコンピュータにより機械的に投入されるということが、被験者に低次元的理解達成の連続という形となり、低次元的理解中途半端感覚を累積させることなく低次元レベルでの低次元部門での納得（の連続）による情報処理推進力を生じ、心理的統合度の瞬時的増大に関係する可能性があると考えられる。
【００８１】本発明使用直後に、心理的統合状態グラフ表示装置により被験者の基本的情報処理周波数、心理的統合状態を出力してみると、被験者の主観にとって非常に無理がある出力（高周波数）（情報処理圧のかかった出力）となっており出力の持続が不可能である場合が多い。
低次元的課題に対する高次元反応を待たない低次元的高速度反応と、コンピュータ的課題提示速度への高次元反応を待たない低次元的（低次元的に忠実な）追従の繰り返しによる低次元部門の高周波数（応答）学習状態（内部的処理速度）の外部的出力となっている可能性が考えられる。
その出力は被験者の運動的出力機構にとりエネルギー（生産消耗）均衡的に持続不可能なものであるが、被験者の低次元部門は本発明への連続的応答により（回帰（追従）のための）帰還（情報更新）頻度を増大させている（回帰、追従能力を低次元的に増大させている）可能性があり、心理的統合状態グラフ表示装置における出力により運動（頻度）的に認識（低記憶負荷の直近記憶的に記憶、学習）された出力機構エネルギー均衡外の無理な周波数を、その増大している帰還頻度、追従能力により、保存して出力し続けようとする（短時間的に保存できる）場合が多く、被験者の心理的統合度をより増強的に（記憶的に）固定する場合がある。
【００８２】本発明に関して、
心理的統合状態、基本的情報処理周波数には、慣性的特性がある場合がある。
すなわち被験者が心理的高度統合状態にある場合、擾乱がなければ、心理的高度統合状態がかなり保存される（維持される）場合がある。心理的高度統合状態が保存される場合、情報処理量の増大や情報処理品質への良い影響が継続性を有することになる。
心理的統合度の増大は、記憶検索（参照）可能範囲、記憶項目間相互作用可能範囲を広める可能性があるため、より深い思考や、創造を可能にする場合があると考えられる。
被験者が心理的非統合にある場合、擾乱がなければ、心理的非統合状態が保存される（維持される）場合がある。
心理的非統合状態が保存されると、情報処理可能量の低下や情報処理品質への悪影響が継続性、累積性を有してしまうと考えられる。
本発明を使用すると、被験者の心理的非統合状態を心理的高度統合状態に例えば３２秒程度（請求項９）、６秒程度（請求項１２）、０．５秒程度（請求項１〜４）、で励起（開始）させることができる場合が多い。
例えば心理的非統合の慣性状態にあり情報処理効率が著しく低下している被験者は、本発明をわずか３２（〜３７）秒程度（請求項９）、６（〜１１）秒程度（請求項１２）、０．５（〜５．５）秒程度（請求項１〜４）、程度使用するだけで、実際に、その心理的非統合状態（の慣性、惰性）を時間的に打ち切り、その心理的非統合状態時に比較して段違いな心理的高度統合状態を（ポテンシャルを越えるような）（トンネル的特性を有する）慣性を持たせて発生させることができ、結果、被験者の本発明使用以降の情報処理効率を著しく増大できることになる場合が多い。（例えば、図１、図５の３２秒程度で励起開始の例、図６の０．５秒程度で励起開始の例参照。）
【００８３】  次に、明滅シンボル表示制御手段、明滅周波数増大手段、の一例について詳細に説明する。
Ｓ１では、ＣＰＵ５０１が、明滅するシンボル１を表示するための明滅シンボル表示画面（ＩＤ０）を出力装置（例えば、ディスプレイ３０４等）に生成する。例えば明滅シンボル表示画面（ＩＤ０）の画面サイズを（１５０，１５０）（ドット単位）に設定する。
例えばカラーコード（（Ｒ，Ｇ，Ｂ）の輝度）が（０，０，０）で設定される色により明滅シンボル表示画面（ＩＤ０）を塗りつぶす（（明滅シンボル表示画面（ＩＤ０）の）背景色）。
（明滅シンボル表示制御手段の一環。）
Ｓ２では、ＣＰＵ５０１が、
変数ｉｎｄｕｃｔｄの値を例えば５００／２に設定して記憶装置に記憶する。
（変数ｉｎｄｕｃｔｄの値を例えば５００／２に設定して記憶装置に記憶する場合は、第八の発明における前記第一周波数における前記シンボル表示時間を、２５０ｍｓに設定し、前記第一周波数における前記シンボル非表示時間を、２５０ｍｓに設定する場合、や、第七の発明において前記第一周波数を、２Ｈｚに設定する場合に（（コンピュータの情報処理速度等の観点から）およそ）相当することができる。）
（明滅周波数増大手段の一環。）
（第一周波数設定の一環。）
（変数ｉｎｄｕｃｔｄの値を例えば２２０／２に設定して記憶装置に記憶する場合は、第十一の発明における前記第一周波数における前記シンボル表示時間を、１２５ｍｓに設定し、前記第一周波数における前記シンボル非表示時間を、１２５ｍｓに設定する場合、や、第十の発明において前記第一周波数を、４Ｈｚに設定する場合に（（コンピュータの情報処理速度等の観点から）およそ）相当することができる。）
（第一周波数設定の一環。）
（変数ｉｎｄｕｃｔｄの値を例えば（およそ）１０００／２〜２００／２から選ばれる一つの値に設定して記憶装置に記憶する場合は、第六の発明における前記第一周波数を、１〜５Ｈｚの範囲から選ばれる一つの周波数に設定する場合に（（コンピュータの情報処理速度等の観点から）およそ）相当することができる。）
（第一周波数設定の一環。）
Ｓ３では、ＣＰＵ５０１が、
Ｓ１において生成された明滅シンボル表示画面（ＩＤ０）の例えば座標（５０，５０）（ドット単位）に、カラーコード（（Ｒ，Ｇ，Ｂ）の輝度）が例えば（２５０，０，０）で設定される色により、フォントサイズ例えば５０で、例えば＊記号（前記シンボルの一例）を表示する。
（明滅シンボル表示制御手段の一環。）
（前記シンボル表示時間の一環。）
（以下、明滅シンボル表示画面（ＩＤ０）における座標表現では、明滅シンボル表示画面（ＩＤ０）の左上端の位置をｘ座標、０ドット、ｙ座標、０ドットの位置であるとし、ｘ座標軸は、画面の左上端から右方向に、また、ｙ座標軸は、画面の左上端から下方向に生成されるものとする。）
（前記シンボルは、他の表象（記号、文字、数字、図形等）であってもよい。）
Ｓ４では、ＣＰＵ５０１が、
変数ｉｎｄｕｃｔｄの値を記憶装置から読み出し、その値で指定される時間（ｍｓ単位）待つ。
（明滅シンボル表示制御手段の一環。）
（明滅周波数増大手段の一環。）
（前記シンボル表示時間の一環。）
Ｓ５では、ＣＰＵ５０１が、
Ｓ１において生成された明滅シンボル表示画面（ＩＤ０）の座標（５０，５０）（ドット単位）に、カラーコード（（Ｒ，Ｇ，Ｂ）の輝度）が（０，０，０）で設定される色により、フォントサイズ５０で、＊記号（前記シンボルの一例）を表示することにより、＊記号（前記シンボルの一例）を（Ｓ１で設定され塗りつぶされた背景色（０，０，０）において）非表示にする。
（明滅シンボル表示制御手段の一環。）
（前記シンボル非表示時間の一環。）
Ｓ６では、ＣＰＵ５０１が、
変数ｉｎｄｕｃｔｄの値を記憶装置から読み出し、その値で指定される時間（ｍｓ単位）待つ。
（明滅シンボル表示制御手段の一環。）
（明滅周波数増大手段の一環。）
（前記シンボル非表示時間の一環。）
Ｓ７では、ＣＰＵ５０１が、
変数ｉｎｄｕｃｔｄの値を記憶装置から読み出し、演算装置により例えばｉｎｄｕｃｔｄ−２の（例えば２のデクリメント）演算を行い、その結果を変数ｉｎｄｕｃｔｄに代入し記憶装置に記憶する。
（明滅周波数増大手段の一環。）
（（周波数の）線形的増大の一環。）
Ｓ８では、ＣＰＵ５０１が、
変数ｉｎｄｕｃｔｄの値を記憶装置から読み出し、演算装置による演算により例えばｉｎｄｕｃｔｄ＜７７／２であるか否かの判断を行う。
Ｓ８において、ＣＰＵ５０１が、ｉｎｄｕｃｔｄ＜７７／２であると判断した場合、ＣＰＵ５０１は、Ｓ９の処理を行う。
Ｓ８において、ＣＰＵ５０１が、ｉｎｄｕｃｔｄ＜７７／２ではないと判断した場合、ＣＰＵ５０１は、Ｓ１０の処理を行う。（明滅周波数増大手段の一環。）
Ｓ９では、ＣＰＵ５０１が、
変数ｉｎｄｕｃｔｄの値を（例えば）７７／２に設定して記憶装置に記憶して、Ｓ１０の処理に移行する。
（明滅周波数増大手段の一環。）
（第二周波数設定の一環。）
（Ｓ８、Ｓ９において、７７／２の値を用いる場合は、第八の発明や第十一の発明において、前記第二周波数における前記シンボル表示時間を、４７ｍｓに設定し、前記第二周波数における前記シンボル非表示時間を、４７ｍｓに設定する場合、や、第七や第十の発明において、前記第二周波数を、１１Ｈｚに設定する場合に（（コンピュータの情報処理速度等の観点から）およそ）相当することができる。）
（Ｓ８、Ｓ９において、７７／２の値に代えて、１４０／２〜３０／２の範囲から選ばれる一つの値を用いる場合は、第二の発明や、第六の発明において、前記第二周波数を、６．２５〜３２Ｈｚの範囲から選ばれる一つの周波数に設定する場合に（（コンピュータの情報処理速度等の観点から）およそ）相当することができる。）
（前記所定の時間の設定の一環。（Ｓ２で変数ｉｎｄｕｃｔｄの値を例えば５００／２に設定して、本プログラムをコンピュータで実行した場合、ＣＰＵ５０１が、ｉｎｄｕｃｔｄ＜７７／２であると最初に判断するまでの時間が、（コンピュータの情報処理速度等の観点から）およそ３２秒（程度）となっている。）（第九の発明。））
（前記所定の時間の設定の一環。（Ｓ２で変数ｉｎｄｕｃｔｄの値を例えば２２０／２に設定して、本プログラムをコンピュータで実行した場合、ＣＰＵ５０１が、ｉｎｄｕｃｔｄ＜７７／２であると最初に判断するまでの時間が、（コンピュータの情報処理速度等の観点から）およそ６秒（程度）となっている。）（第十二の発明。））
（Ｓ２において、ＣＰＵ５０１が、変数ｉｎｄｕｃｔｄの値を７７／２に設定して記憶装置に記憶し、Ｓ８、Ｓ９において、７７／２の値を用いる場合は、
第三の発明において、前記第二周波数を、１１Ｈｚに設定する場合に（（コンピュータの情報処理速度等の観点から）およそ）相当することができる。（明滅周波数手段。））
Ｓ１０では、ＣＰＵ５０１が、
Ｓ３に戻って処理を続ける。
（明滅周波数増大手段の一環。）
【００８４】本発明の第一〜第十七の発明のいずれか一項に記載の発明において、
前記シンボル（明滅するシンボル１）の明滅に同調するようにして入力をなすよう前記被験者に促すための（表示を行うための表示制御、や出力装置に何らかの出力を行うための出力制御等の）手段をさらに備えるとしてもよい。
【００８５】本発明の第一〜第十七の発明のいずれか一項に記載の発明において、
前記シンボル（明滅するシンボル１）の明滅と、前記被験者による入力との時間的乖離（タイミング誤差）を出力装置に表現するための手段をさらに備えるとしてもよい。
【００８６】本発明の第一〜第十七の発明のいずれか一項に記載の発明において、
前記シンボル（明滅するシンボル１）の明滅と、前記被験者による入力との（時間的）同調の程度（同調レベル）を出力装置に表現するための手段をさらに備えるとしてもよい。
【００８７】本発明の第一〜第十七の発明のいずれか一項に記載の発明において、
前記入力受付手段は、例えば、キーボード３０３（入力装置の一例）におけるスペースキーである場合があってもよい。（キーボード３０３の他のキーであってもよい。）
【００８８】本発明の第一〜第十七の発明のいずれか一項に記載の発明において、
前記入力受付手段は、例えば、圧力センサー、押しボタン等である場合があってもよい。
【００８９】本発明の第一の発明〜第十三の発明のいずれか一項に記載の発明において、
前記入力受付手段は、（バス５０５等による（ＣＰＵ５０１等との）接続を有さない、）
例えば、金属、有機高分子化合物、合成樹脂、木、無機化合物、等の材質によるプレート、押しボタン、等である簡易な構成の場合があるとしてもよい。
【００９０】本発明使用による（瞬時的な）（心理的統合度増大）効果については、本発明使用による（瞬時的な）エピネフリン（ｅｐｉｎｅｐｈｒｉｎｅ）、アドレナリン（ａｄｒｅｎａｌｉｎｅ）（合成）等が関与している可能性が考えられる。
【００９１】本発明において、
前記第二周波数は、例えば、
本発明使用（明滅シンボル表示開始３）（直）前の前記被験者の心理的統合状態では
入力を行うことが能動的（内生的）には（全く）困難（不可能）である高周波数、
すなわち、例えば、本発明使用（明滅シンボル表示開始３）（直）前において前記心理的統合状態グラフ表示装置の手段により測定記録された被験者の心理的統合状態の（能動的）入力時間間隔（被験者が、被験者に実行可能な速度で（能動的に）キーボードの（同一）キー（例えばコンピュータのスペースキー）を繰り返し押すようにした場合の各試行（各スペースキー押し運動）に要した時間）（の例えば所定入力試行数（例えば１０〜１００）に対する平均値）から算出される周波数（例えば、１０００ｍｓ／入力時間間隔（の平均値）（ｍｓ））を（かなり）超える周波数、で設定される場合があってもよい。
【００９２】本発明において、
前記第一周波数は、例えば、
本発明使用（明滅シンボル表示開始３）（直）前の前記被験者の心理的統合状態でさえ
明滅に追従して入力を行うことが（非常に）簡単である低周波数、
すなわち、例えば、本発明使用（明滅シンボル表示開始３）（直）前において前記心理的統合状態グラフ表示装置の手段により測定記録された被験者の心理的統合状態の（能動的）入力時間間隔（被験者が、被験者に実行可能な速度で（能動的に）キーボードの（同一）キー（例えばコンピュータのスペースキー）を繰り返し押すようにした場合の各試行（各スペースキー押し運動）に要した時間）（の例えば所定入力試行数（例えば１０〜１００）に対する平均値）から算出される周波数（例えば、１０００ｍｓ／入力時間間隔（の平均値）（ｍｓ））を（かなり）下回る周波数、で設定される場合があってもよい。
【００９３】本発明において、
出力装置（例えば、ディスプレイ３０４）に表示される前記シンボルに代えて、出力装置（例えば、スピーカ３０７等）から出力される音を用い、前記明滅が前記音の変調である心理的統合度瞬時増大装置である場合があってもよい。
すなわち、
例えば、本発明の第一の発明について、
被験者に認識されるための変調された音を出力装置から出力する変調音出力制御手段と、
前記音の変調に同調するようにしてなされる前記被験者の入力を受け付ける入力受付手段と、
前記音の前記変調の周波数を第二周波数に設定する変調周波数手段と、
を備えることを特徴とする心理的統合度瞬時増大装置。
例えば、本発明の第五の発明について、
被験者に認識されるための変調された音を出力装置から出力する変調音出力制御手段と、
前記音の変調に同調するようにしてなされる前記被験者の入力を受け付ける入力受付手段と、
前記音の前記変調の周波数を第一周波数から第二周波数へ所定の時間内に増大させ、その後、前記周波数を前記第二周波数に設定する変調周波数増大手段と、
を備えることを特徴とする心理的統合度瞬時増大装置。
【００９４】本発明の第一の発明において、
（被験者の心理的統合度の状態に適応的に）前記第二周波数を可変に設定し得る手段、をさらに備える場合があるとしてもよい。
【００９５】本発明の第五の発明において、
（被験者の心理的統合度の状態に適応的に）前記第一周波数を可変に設定し得る手段と、
（被験者の心理的統合度の状態に適応的に）前記第二周波数を可変に設定し得る手段と、をさらに備える場合があるとしてもよい。
【符号の説明】
【００９６】１  明滅するシンボル
２  心理的統合第一状態
３  明滅シンボル表示開始
４  明滅の周波数が増大するシンボルに同調するようにしてなされる前記被験者の入力の推移
５  心理的統合第二状態
６  心理的統合度大１５０ｍｓ基準線
３０１  コンピュータシステム
３０２  本体
３０３  キーボード
３０４  ディスプレイ
３０５  プリンタ
３０６  マウス
３０７  スピーカ
５０１  ＣＰＵ
５０２  ＲＡＭ
５０３  ＲＯＭ
５０４  ＨＤＤ
５０５  バス
【図１】
2013150808.tif 000003
【図２】
2013150808.tif 000004
【図３】
2013150808.tif 000005
【図４】
2013150808.tif 000006
【図５】
2013150808.tif 000007
【図６】
2013150808.tif 000008